(57)【特許請求の範囲】
【請求項１】
引っ掛けシーリングボディに接続固定することにより、器具本体を機械的及び電気的に接続保持するアダプタに電気的に接続するためのコネクタであって、
前記コネクタは、絶縁物からなるコネクタ本体と、コネクタカバーと、前記コネクタ本体に内蔵された接触端子と、前記接触端子に接続されたリード線とで構成され、
前記コネクタ本体はＬ字型であり、うちの一辺は前記リード線の引き出し方向を定めるガイド壁であり、Ｌ字の底辺に相当するガイド壁の下方は、前記接触端子を前記コネクタの挿入方向である他辺に組み込むために、底板が設けられることなく解放されており、かつ、前記ガイド壁には第１の係止部が設けられており、
前記コネクタカバーは、全体略矩形箱状であり、一対の側壁と、天板と、底板と、を有し、両端が開口され、その内部に内部空間が形成されて筒状となっており、前記コネクタ本体の前記ガイド壁に設けられている前記第１の係止部に対応する第２の係止部が設けられており、かつ、前記コネクタ本体の前記ガイド壁に被せられて、前記リード線の引き出しと同一方向に、前記ガイド壁と前記リード線を覆う形で前記コネクタ本体と嵌合すると共に、前記第２の係止部が前記第１の係止部に係合されて固定されるコネクタ。
【請求項２】
請求項１に記載のコネクタにおいて、
前記第１の係止部は、前記ガイド壁の天井側表面に設けられているコネクタ。
【請求項３】
請求項１または請求項２に記載のコネクタにおいて、
前記接触端子側から前記ガイド壁に沿って前記リード線を曲げている屈曲部の直下は、コネクタカバーで覆わないコネクタ。
【請求項４】
請求項１ないし請求項３のいずれかに記載のコネクタにおいて、
前記コネクタカバーの、前記ガイド壁下方の解放箇所を覆う面が傾斜しており、前記コネクタ本体側の開口部より、逆側の開口部の高さが小さいコネクタ。
【請求項５】
請求項１ないし請求項４のいずれかに記載のコネクタにおいて、
前記コネクタカバーは、前記コネクタ本体の前記ガイド壁を覆う面に、幅方向に突出したリブを有するコネクタ。
【請求項６】
請求項１ないし請求項５のいずれかに記載のコネクタにおいて、
前記コネクタカバーは、前記リード線を引き出している面において、幅方向に突出したリブを有するコネクタ。
【請求項７】
請求項１ないし請求項６のいずれかに記載のコネクタを搭載した照明器具。
【発明の詳細な説明】
【技術分野】
【０００１】
本発明は、引掛シーリングボディに接続固定されるアダプタに取り付けるコネクタおよびこのコネクタを用いて住宅等の天井面に直接取り付けられる直付型の照明器具に関する。
【背景技術】
【０００２】
従来の照明器具の一例として、リード線の先端に接続されたコネクタをアダプタに装着するようにしたものがある（例えば、特許文献１参照）。
【先行技術文献】
【特許文献】
【０００３】
【特許文献１】特開２００８−４７３６０号公報（図１、段落番号００２１）
【発明の概要】
【発明が解決しようとする課題】
【０００４】
しかしながら、特許文献１に開示された従来の照明器具においては、コネクタから引き出されたリード線が、コネクタの挿入方向と同一軸上逆方向の下方に向けて引き出されている。
従って、このような照明器具においては、リード線をコネクタの挿入方向に直交する方向に引き出す場合に、リード線をコネクタの引き出し部分から直角方向に曲げたとしても、少なくともリード線の直径分がコネクタ本体から突出することになって薄型化を阻害する要因となっていた。
【０００５】
一方、リード線をコネクタの挿入方向と直交する方向に向けて引き出してコネクタカバーによりリード線を規制するようにした照明器具も提案されたが、このような照明器具では、リード線に印加された張力がコネクタカバーに直接伝わることになる。
このため、このような照明器具においては、コネクタカバーの固定を強固にしなければならず、それにより、コネクタの小型化を阻害するという問題がある。
【０００６】
本発明は、従来の問題を解決するためになされたもので、小型化を図りつつコネクタカバーを強固に固定してリード線をコネクタの挿入方向と直交する方向に向けて引き出すことができるコネクタ及び照明器具を提供することを目的とする。
【課題を解決するための手段】
【０００７】
本発明のコネクタは、引っ掛けシーリングボディに接続固定することにより、器具本体を機械的及び電気的に接続保持するアダプタに電気的に接続するためのコネクタであって、コネクタは、絶縁物からなるコネクタ本体と、コネクタカバーと、コネクタ本体に内蔵された接触端子と、接触端子に接続されたリード線とで構成され、コネクタ本体はＬ字型であり、うちの一辺はリード線の引き出し方向を定めるガイド壁であり、Ｌ字の底辺に相当するガイド壁の下方は、接触端子をコネクタの挿入方向である他辺に組み込むために、底板が設けられることなく解放されており、かつ、前記ガイド壁には第１の係止部が設けられており、前記コネクタカバーは、全体略矩形箱状であり、一対の側壁と、天板と、底板と、を有し、両端が開口され、その内部に内部空間が形成されて筒状となっており、前記コネクタ本体の前記ガイド壁に設けられている前記第１の係止部に対応する第２の係止部が設けられており、かつ、前記コネクタ本体の前記ガイド壁に被せられて、前記リード線の引き出しと同一方向に、前記ガイド壁と前記リード線を覆う形で前記コネクタ本体と嵌合すると共に、前記第２の係止部が前記第１の係止部に係合されて固定されるものである。
【０００８】
また、本発明のコネクタは、第１の係止部は、ガイド壁の天井側表面に設けられているものである。
【０００９】
また、本発明のコネクタは、接触端子側からガイド壁に沿ってリード線を曲げている屈曲部の直下は、コネクタカバーで覆わないものである。
【００１０】
また、本発明のコネクタは、コネクタカバーの、ガイド壁下方の解放箇所を覆う面が傾斜しており、コネクタ本体側の開口部より、逆側の開口部の高さが小さいものである。
【００１１】
また、本発明のコネクタは、コネクタカバーは、コネクタ本体のガイド壁を覆う面に、幅方向に突出したリブを有するものである。
【００１２】
また、本発明のコネクタでは、コネクタカバーは、リード線を引き出している面において、幅方向に突出したリブを有するものである。
【００１３】
さらに、本発明の照明器具は、前述したいずれかのコネクタを搭載した照明器具である。
【発明の効果】
【００１４】
本発明は、コネクタを構成するコネクタ本体はＬ字形状をしており、電力を供給するリード線は、Ｌ字の一辺に設けられているガイド壁により引き出し方向を決められる。また、ガイド壁の下方は解放されているので、接触端子をＬ字のコネクタ本体の他辺に容易に組み込むことができるとともに、底板を設けないことにより、板厚分だけ小型化を図れる。コネクタカバーは、両端が開口した中空状（筒状）であり、リード線およびガイド壁を覆ってコネクタ本体に嵌合するので、リード線は所定の引き出し方向に強固に固定される。また、コネクタカバーは筒状なので、小型化しても十分な強度を確保でき、その結果、コネクタの小型化が図れるという効果を有するコネクタ及び照明器具を提供できる。
【図面の簡単な説明】
【００１５】
【図１】本発明の第１実施形態に係るコネクタを示す斜視図であり、（Ａ）は斜め上方から見た図、（Ｂ）は斜め下方から見た図
【図２】（Ａ）はコネクタの正面図、（Ｂ）は（Ａ）中Ｂ方向から見た側面図
【図３】図２中ＩＩＩ−ＩＩＩ位置の断面図
【図４】コネクタを示す分解斜視図であり、（Ａ）は斜め上方から見た図、（Ｂ）は斜め下方から見た図
【図５】本発明に係る実施形態の照明器具を示す断面図
【図６】アダプタを斜め下方から見た斜視図であり、（Ａ）はコネクタ装着前，（Ｂ）はコネクタ装着後
【図７】本発明の第２実施形態に係るコネクタを示す分解斜視図であり、（Ａ）は斜め上方から見た図、（Ｂ）は斜め下方から見た図
【発明を実施するための形態】
【００１６】
（第１実施形態）
以下、本発明の第１実施形態のコネクタ及び照明器具について、図面を用いて説明する。
図５に示すように、本発明に係る実施形態のコネクタ２０は、天井１に取り付けられている引っ掛けシーリングボディ２に取り付けて照明器具１０の器具本体１１を機械的及び電気的に接続保持するためのアダプタ１３に取り付けて、電気的に接続するためのものである。
【００１７】
まず、コネクタ２０について説明する。
図１乃至図４に示すように、コネクタ２０は、コネクタ本体２１と、コネクタカバー２２と、コネクタ本体２１に内蔵されアダプタ１３に電気的に接続される接触端子２３と、コネクタ２０内部に配線されて接触端子２３に接続され、照明器具１０に電力を供給するリード線２４とを有する。
【００１８】
コネクタ本体２１は、絶縁性を有する硬質の樹脂材料を用いて全体Ｌ字型に形成されている。Ｌ字の一辺２１１にはリード線２４の引き出し方向を定めるガイド壁２５が設けられていて、他辺２１２はコネクタ２０をアダプタ１３に挿入する際の挿入方向（以後、上（方向、側）ともいう。）の部材である。すなわち、他辺２１２は上下方向の部材であり、一辺２１１であるガイド壁２５は、水平方向の部材である。
【００１９】
図４に示すように、Ｌ字の底辺に相当する一辺２１１では、上側にガイド壁２５が水平方向に設けられていて、ガイド壁２５の下面の左右両端には側壁２５５が各々設けられ、中央部には下方に向かって仕切り２５４が設けられている。一対の側壁２５５および仕切り２５４は、他辺２１２側から先端に向かって一旦水平部２５５Ｂ、２５４Ｂが設けられている。水平部２５５Ｂ、２５４Ｂの先端には段差２５５Ｃ，２５４Ｃが設けられており、後述するコネクタカバー２２の板厚分切りかかれた後、先端に向かって高さが減ずるように設けられている。すなわち、側壁２５５および仕切り２５４の底面２５５Ａ、２５４Ａは、段差２５５Ｃ、２５４Ｃから先端に向かって上昇している。
【００２０】
また、一辺２１１の挿入方向反対側（以後、下（方向、側）ともいう。）であるガイド壁２５の下方は解放されている。これにより、接触端子２３を、下方から他辺２１２の内部空間２１３に、コネクタ２０の挿入方向に沿って容易に組み込むことができる。ガイド壁２５の天井側表面（すなわち、上面）には、コネクタカバー２２を係止する係止部としての係止突起２５１が設けられている。係止突起２５１は楔状をしており、引き出し方向前面は前方に向かって下降する傾斜面２５２を有し、後端部は鉛直な係止面２５３を有する。
【００２１】
図３に示すように、他辺２１２は全体薄い矩形状をしており、内部には接触端子２３を挿入する一対の内部空間２１３、２１３と、この内部空間２１３に連続するとともに上端面に開口するアダプタ端子挿入口２１４が各々設けられている。一辺２１１の取付部でもある他辺２１２の下端部には、一辺２１１側に切欠き２１５が設けられている。また、他辺２１２のガイド壁２５が突出する面と反対側の外側面には、アダプタ１３に係止される抜け止めロック部２６を一端部に有するシーソー式の解除レバー２６１を備えている。
なお、接触端子２３は、アダプタ端子挿入口２１４に連続して配置され、アダプタ端子１８（図５参照）に電気的に接続される電源側接続部２３１を上部に有し、リード線２４の芯線２４１に接続されるリード線接続部２３２を下部に有する。
【００２２】
従って、先端の芯線２４１が接触端子２３のリード線接続部２３２に接続されたリード線２４は、他辺２１２の内部空間２１３を通って下方へ導かれ、下端部で曲げられて（屈曲部２４２）、切欠き２１５からガイド壁２５の下方に導かれて外部に引き出される。
【００２３】
図４に示すように、コネクタカバー２２は、全体略矩形箱状をしており、左右の側壁２２１，２２２と、天板２２３，底板２２４を有し、両端が開口２２５，２２６して内部は中空状（内部空間２２７）になっていて、内部空間２２７を有する。また、両側壁２２１，２２２のリード線２４を引き出している面である前端部には、幅方向外側へ突出するリブ２７がそれぞれ設けられている。
従って、コネクタカバー２２の後方の開口２２６からコネクタ本体２１の一辺２１１を挿入し、内部空間２２７にコネクタ本体２１の一辺２１１を収容する。このとき、左右のリブ２７を指でつまんでコネクタカバー２２を着脱することができる。
【００２４】
なお、コネクタカバー２２の天板２２３の内面には、浅い溝２２３Ｂが設けられ、溝２２３Ｂの先端には係止切欠き２２３Ａが設けられている。従って、コネクタカバー２２をスライドさせてガイド壁２５に被せると、コネクタカバー２２の係止切欠き２２３Ａに、ガイド壁２５の係止突起２５１が係合して、コネクタカバー２２が固定される。
【００２５】
底板２２４は、コネクタカバー２２を装着した状態で、後端面２２４Ａがコネクタ本体２１の側壁２５５および仕切り２５４の段差２５５Ｃ、２５４Ｃに当接するように設けられている。すなわち、底板２２４は、ガイド壁２５の基端部には設けられていないので、リード線２４の屈曲部２４２はコネクタカバー２２で覆われないことになる。
【００２６】
また、コネクタカバー２２の側壁２２１、２２２は、コネクタ本体２１の一辺２１１の側壁２５５に対応した形状となっており、側壁２２１，２２２の下端に設けられた底板２２４は、前方に向かって上昇するように傾斜している。このため、コネクタ本体側の開口部２２６の高さＨ１（図４（Ｂ）参照）より、逆側（先端側）の開口部２２５の高さＨ２（図４（Ａ）参照）の方が小さくなっている。
【００２７】
次に、コネクタ２０の組立手順について説明する。
まず、接触端子２３のリード線接続部２３２に、リード線２４の芯線２４１をはんだ付け等の接合手段により電気的かつ機械的に接続し、コネクタカバー２２の内部空間２２７に挿通させておく。
【００２８】
次いで、接触端子２３を、電源側接続部２３１側を頭にしてコネクタ本体２１の内部空間２１３の下方から圧入し、電源側接続部２３１をアダプタ端子挿入口２１４に連続させて固定する。このとき、リード線２４はコネクタ本体２１から下方へ垂れ下がっているので、リード線２４をガイド壁２５側へ屈曲させる。この際、リード線２４を許容最小曲げ半径以上の半径で９０度以上屈曲させ、ガイド壁２５先端部では、リード線２４がガイド壁２５の下面に当接するようにする。なお、屈曲部２４２がコネクタ本体２１の下端面から下方へ突出しないようにする。
【００２９】
次いで、コネクタカバー２２をスライドさせてガイド壁２５を覆い、コネクタカバー２２の係止切欠き２２３Ａを、ガイド壁２５の係止突起２５１により係止して固定する。このとき、コネクタカバー２２の傾斜した底板２２４がリード線２４を下方から支持するので、リード線２４は下方へ戻るのを阻止され、ガイド壁２５にガイドされて所定の引き出し方向へ引き出される。
【００３０】
次に、上述したコネクタ２０を用いた照明器具１０について説明する。
図５に示すように、照明器具１０は、器具本体１１と、器具本体１１に組付けられた取付ホルダ１２と、取付ホルダ１２に内嵌された電源側の配線部品であるアダプタ１３と、一対のリード線２４が接続されてアダプタ１３に挿入接続されるコネクタ２０とを有する。照明器具１０は、コネクタ２０の下方において器具本体１１に円環形状の蛍光ランプ（図示省略）を保持し、器具本体１１に透光性のカバー（図示省略）を装着して、アダプタ１３を天井面１に設置されている引掛シーリングボディ２に掛止することにより天井面１に直接取り付けられる。
【００３１】
器具本体１１は、例えば厚みの薄い鋼板材を用いて円板形状に形成されている。器具本体１１の中央部には取付ホルダ１２を装着させるためのホルダ取付孔１６が形成されている。器具本体１１は、その外縁部の下面に複数のランプ保持部品を取り付けており、これらランプ保持部品を介して蛍光ランプ（図示省略）が保持される。取付ホルダ１２は、例えば硬質の樹脂材料を用いて小判形状の外観に形成されて中央部に円環部１７を有し、器具本体１１のホルダ取付孔１６に内嵌されている。取付ホルダ１２は、円環部１７の内周部に、アダプタ係止用の係止突部受１４を有する。
【００３２】
図６にも示すように、アダプタ１３は、取付ホルダ１２の円環部１７に内嵌される外径寸法を有する円盤状の本体１３１を有し、内部に一対のアダプタ端子１８（図５参照）を収容している。アダプタ端子１８は、その一端部に、引掛シーリングボディ２内に収容されている一対の給電端子（図示省略）に引掛けられて、給電端子に電気的に接続される屈曲端部１８１をそれぞれ有する。アダプタ端子１８は、その他端部に、アダプタ１３の下面に形成されているコネクタ挿着孔１９内に配置されるコネクタ接続端部（図示省略）を有する。アダプタ１３は、回動されてから、その外周部に形成されている係止突部１５が、取付ホルダ１２の係止突部受１４に係止されることにより取付ホルダ１２に取り付けられ、アダプタ端子１８が引掛シーリングボディ２の給電端子に掛止されることにより器具本体１１を天井１に機械的および電気的に接続保持する。
【００３３】
コネクタ２０をアダプタ１３に装着する際には、コネクタ本体２１の他辺２１２をアダプタ１３のコネクタ装着孔１９に挿入し、コネクタ本体２１の抜け止めロック部２６をコネクタ装着孔１９の内部に設けられている係止部（図示省略）に係止してコネクタ２０の脱落を防止する。これにより、コネクタ２０の接触端子２３の電源側接続部２３１が、アダプタ端子１８のコネクタ接続端部（図示省略）に電気的に接続されて、引掛シーリングボディ２内の給電端子（図示省略）を通じて接触端子２３に商用電源が与えられる。このとき、リード線２４は、アダプタ１３の下面に沿って水平方向に引き出されて、器具本体１１に取り付けられる安定器（図示省略）に電気的に接続され、さらにランプソケット（図示省略）に電気的に接続される。
【００３４】
一方、コネクタ２０をアダプタ１３から取り外す際には、コネクタ本体２１の解除レバー２６１を押して抜け止めロック部２６を係止部（図示省略）から解除し、この状態で引き抜く。
【００３５】
以上、説明した本発明に係る実施形態のコネクタ２０によれば、コネクタ２０を構成するコネクタ本体２１はＬ字形状をしており、電力を供給するリード線２４は、Ｌ字の一辺２１１に設けられているガイド壁２５により引き出し方向を決められる。また、ガイド壁２５の下方は解放されているので、接触端子２３をＬ字の他辺２１２に容易に組み込むことができるとともに、底板を設けないことにより、板厚分だけ小型化を図れる。コネクタカバー２２は、両端が開口（開口部２２５，２２６）した中空状（筒状）であり、リード線２４およびガイド壁２５を覆ってコネクタ本体２１に嵌合するので、リード線２４は所定の引き出し方向に強固に固定される。また、コネクタカバー２２は筒状なので、小型化しても十分な強度を確保でき、その結果、コネクタ２０の小型化が図れる。
【００３６】
また、コネクタカバー２２をコネクタ本体２１のガイド壁２５に取り付けると、ガイド壁２５の上面に設けた係止突起２５１がコネクタカバー２２の係止切欠き２２３Ａを係止するので、コネクタカバー２２の脱落を防止して強固に取り付けることができる。
【００３７】
また、リード線２４の屈曲部２４２の真下を覆わないので、コネクタカバー２２の高さを低く形成でき、コネクタ２２の小型化が図れる。
【００３８】
また、リード線２４の屈曲部２４２が位置するコネクタ本体２１側の開口２２６は高いが、この部分をコネクタカバー２２で覆わないことによりコネクタカバー２２の全高を低くできる。また、引き出し側の開口２２５の下はコネクタカバー２２で覆われるが、開口２２５の高さは小さいので、リード線２４を所定の方向へ位置決めできるとともに、コネクタカバー２２の全高を抑えることができる。これにより、コネクタ２０全体の高さを抑えることができる。
【００３９】
また、コネクタカバー２２の引き出し側端部において、幅方向外側に突出するリブ２７を設けたので、コネクタ２０をアダプタ１３から引き抜く際に、リブ２７に指をかけて引くことができ、容易にコネクタ２０をアダプタ１３から引き抜くことができる。
【００４０】
また、本発明に係る実施形態の照明器具１０によれば、前述したコネクタ２０を用いることにより、コネクタ２０の小型化を図って、薄型で強度も高く、コネクタ２０の着脱操作性にも優れた照明器具１０を提供できる。
【００４１】
（第２実施形態）
次に、本発明に係る第２実施形態のコネクタを図７に示す。なお、前述した第１実施形態にかかるコネクタおよび照明器具と共通する部位には同じ符号を付して、重複する説明を省略することとする。
【００４２】
図７に示すように、本発明に係る第２実施形態のコネクタ２０Ｂでは、コネクタカバー２２Ｂの側壁２２１，２２２から幅方向外側へ突出して設けられるリブ２７が、側壁２２１，２２２の前後方向の途中に設けられる。
【００４３】
以上、説明した第２実施形態にかかるコネクタ２０Ｂによれば、前述した第１実施形態にかかるコネクタ２０と同様に、コネクタ２０Ｂをアダプタ１３から引き抜く際に、リブ２７に指をかけて引くことができるので、容易にコネクタ２０Ｂをアダプタ１３から引き抜くことができる。
【００４４】
なお、本発明のコネクタ及び照明器具は、前述した各実施形態に限定されるものでなく、適宜な変形，改良等が可能である。
【符号の説明】
【００４５】
１  天井
２  引っ掛けシーリングボディ
１０  照明器具
１１  器具本体
１３  アダプタ
２０、２０Ｂ  コネクタ
２１  コネクタ本体
２１１  一辺
２１２  他辺
２２  コネクタカバー
２２５  逆側の開口部
２２６  コネクタ本体側の開口部
２３  接触端子
２４  リード線
２４２  屈曲部
２５  ガイド壁
２５１  係止突起（係止部）
２７  リブ
【図１】
0005537206.tif 000002
【図２】
0005537206.tif 000003
【図３】
0005537206.tif 000004
【図４】
0005537206.tif 000005
【図５】
0005537206.tif 000006
【図６】
0005537206.tif 000007
【図７】
0005537206.tif 000008